【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてマシンタイプ通信（ＭＴＣ）を容易にするための方法であって、
ＭＴＣデバイスで、システム情報構成を示すためのカウンタを受信することと、ここで、前記カウンタは、前記システム情報構成を反映するために、１つまたは複数のビットを備え、
前記ＭＴＣデバイスで、前記受信されたカウンタの前記１つまたは複数のビットと、システム情報構成のセットとの間のマッピングを識別することと、ここで、前記セットは、前記カウンタによって示された前記システム情報構成を備え、
前記ＭＴＣデバイスで、前記受信されたカウンタの前記１つまたは複数のビットと、システム情報構成の前記セットとの間の前記識別されたマッピングに少なくとも部分的に基づいて、システム情報構成の前記セットから前記システム情報構成を決定することと、
を備える方法。
【請求項２】
前記システム情報構成を決定することは、前記受信されたカウンタが前のウェイクアップとは異なると決定することを備える、請求項１に記載の方法。
【請求項３】
前記受信されたカウンタが前記前のウェイクアップとは異なると決定することは、増分されたカウンタを受信することを備える、請求項２に記載の方法。
【請求項４】
前記システム情報構成を決定することは、
前記カウンタに基づいて変更された前記システム情報構成を決定することと、
前記カウンタに基づいて更新されたシステム情報を識別することと、
を備える、請求項１に記載の方法。
【請求項５】
前記カウンタは、１６個の異なるシステム情報構成にマッピングする４ビットを備える、請求項１に記載の方法。
【請求項６】
前記カウンタは、ページングチャネルを介して受信される、請求項１に記載の方法。
【請求項７】
前記カウンタは、物理ブロードキャストチャネルを介して受信される、請求項１に記載の方法。
【請求項８】
前記カウンタは、ＭＴＣ物理ブロードキャストチャネルを介して受信される、請求項１に記載の方法。
【請求項９】
前記カウンタは、システム情報ブロック（ＳＩＢ）において受信される、請求項１に記載の方法。
【請求項１０】
前記ＳＩＢは、ＭＴＣ固有ＳＩＢを備える、請求項９に記載の方法。
【請求項１１】
ワイヤレス通信システムにおいてマシンタイプ通信（ＭＴＣ）を容易にするための装置であって、
ＭＴＣデバイスで、システム情報構成を示すためのカウンタを受信するための手段と、ここで、前記カウンタは、前記システム情報構成を反映するために、１つまたは複数のビットを備え、
前記ＭＴＣデバイスで、前記受信されたカウンタの前記１つまたは複数のビットと、システム情報構成のセットとの間のマッピングを識別するための手段と、ここで、前記セットは、前記カウンタによって示された前記システム情報構成を備え、
前記ＭＴＣデバイスで、前記受信されたカウンタの前記１つまたは複数のビットと、システム情報構成の前記セットとの間の前記識別されたマッピングに少なくとも部分的に基づいて、システム情報構成の前記セットから前記システム情報構成を決定するための手段と、
を備える装置。
【請求項１２】
前記システム情報構成を決定するための前記手段は、前記受信されたカウンタが前のウェイクアップとは異なると決定するように構成される、請求項１１に記載の装置。
【請求項１３】
前記システム情報構成を決定するための前記手段は、前記受信されたカウンタが増分されたカウンタであると決定するように構成される、請求項１２に記載の装置。
【請求項１４】
前記システム情報構成を決定するための前記手段は、
前記カウンタに基づいて変更された前記システム情報構成を決定することと、
前記カウンタに基づいて更新されたシステム情報を識別することと、
を行うように構成される、請求項１１に記載の装置。
【請求項１５】
前記カウンタは、１６個の異なるシステム情報構成にマッピングする４ビットを備える、請求項１１に記載の装置。
【請求項１６】
前記カウンタを受信するための前記手段は、ページングチャネルを介して前記カウンタを受信するように構成される、請求項１１に記載の装置。
【請求項１７】
前記カウンタを受信するための前記手段は、物理ブロードキャストチャネルを介して前記カウンタを受信するように構成される、請求項１１に記載の装置。
【請求項１８】
前記カウンタを受信するための前記手段は、ＭＴＣ物理ブロードキャストチャネルを介して前記カウンタを受信するように構成される、請求項１１に記載の装置。
【請求項１９】
前記カウンタを受信するための前記手段は、システム情報ブロック（ＳＩＢ）において前記カウンタを受信するように構成される、請求項１１に記載の装置。
【請求項２０】
前記カウンタを受信するための前記手段は、ＭＴＣ固有ＳＩＢにおいて前記カウンタを受信するように構成される、請求項１１に記載の装置。
【請求項２１】
ワイヤレス通信システムにおいてマシンタイプ通信（ＭＴＣ）を容易にするための装置であって、
プロセッサと、
前記プロセッサと電子通信するメモリと、
前記メモリに記憶された命令と、を備え、前記命令は、
ＭＴＣデバイスで、システム情報構成を示すためのカウンタを受信することと、ここで、前記カウンタは、前記システム情報構成を反映するために、１つまたは複数のビットを備え、
前記ＭＴＣデバイスで、前記受信されたカウンタの前記１つまたは複数のビットと、システム情報構成のセットとの間のマッピングを識別することと、ここで、前記セットは、前記カウンタによって示された前記システム情報構成を備え、
前記ＭＴＣデバイスで、前記受信されたカウンタの前記１つまたは複数のビットと、システム情報構成の前記セットとの間の前記識別されたマッピングに少なくとも部分的に基づいて、システム情報構成の前記セットから前記システム情報構成を決定することと、
を行うように前記プロセッサによって実行可能である、装置。
【請求項２２】
前記命令は、
前記受信されたカウンタが前のウェイクアップとは異なると決定することを行うように前記プロセッサによって実行可能である、請求項２１に記載の装置。
【請求項２３】
前記命令は、
前記受信されたカウンタが増分されたカウンタであると決定することを行うように前記プロセッサによって実行可能である、請求項２２に記載の装置。
【請求項２４】
前記命令は、
前記カウンタに基づいて変更された前記システム情報構成を決定することと、
前記カウンタに基づいて更新されたシステム情報を識別することと、
を行うように前記プロセッサによって実行可能である、請求項２１に記載の装置。
【請求項２５】
前記命令は、
ページングチャネルを介して前記カウンタを受信することを行うように前記プロセッサによって実行可能である、請求項２１に記載の装置。
【請求項２６】
前記命令は、
物理ブロードキャストチャネルを介して前記カウンタを受信することを行うように前記プロセッサによって実行可能である、請求項２１に記載の装置。
【請求項２７】
前記命令は、
ＭＴＣ物理ブロードキャストチャネルを介して前記カウンタを受信することを行うように前記プロセッサによって実行可能である、請求項２１に記載の装置。
【請求項２８】
ワイヤレス通信システムにおいてマシンタイプ通信（ＭＴＣ）を容易にするためのコンピュータプログラム製品であって、
ＭＴＣデバイスで、システム情報構成を示すためのカウンタを受信することと、ここで、前記カウンタは、前記システム情報構成を反映するために、１つまたは複数のビットを備え、
前記ＭＴＣデバイスで、前記受信されたカウンタの前記１つまたは複数のビットと、システム情報構成のセットとの間のマッピングを識別することと、ここで、前記セットは、前記システム情報構成を備え、
前記ＭＴＣデバイスで、前記受信されたカウンタの前記１つまたは複数のビットと、システム情報構成の前記セットとの間の前記識別されたマッピングに少なくとも部分的に基づいて、システム情報構成の前記セットから前記システム情報構成を決定することと、
を行うようにプロセッサによって実行可能な命令を記憶する非一時的コンピュータ可読媒体を備える、コンピュータプログラム製品。
【請求項２９】
前記命令は、
前記受信されたカウンタが前のウェイクアップとは異なると決定することを行うように前記プロセッサによって実行可能である、請求項２８に記載のコンピュータプログラム製品。
【請求項３０】
前記命令は、
前記受信されたカウンタが増分されたカウンタであると決定することを行うように前記プロセッサによって実行可能である、請求項２９に記載のコンピュータプログラム製品。
【手続補正２】
【補正対象書類名】明細書
【補正対象項目名】０２０３
【補正方法】変更
【補正の内容】
【０２０３】
[0227]本開示についての以上の説明は、当業者が本開示を作成または使用することができるように提供される。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる選好をも暗示せず、または必要としない。したがって、本開示は、本明細書で説明される例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信システムにおいてマシンタイプ通信（ＭＴＣ）を容易にするための方法であって、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を備える方法。
［Ｃ２］
前記システム情報構成における前記変更を決定することは、前記受信されたカウンタが前のウェイクアップとは異なると決定することを備える、Ｃ１に記載の方法。
［Ｃ３］
前記受信されたカウンタが前記前のウェイクアップとは異なると決定することは、増分されたカウンタを受信することを備える、Ｃ２に記載の方法。
［Ｃ４］
前記システム情報構成または前記システム情報構成における前記変更を決定することは、
前記カウンタに基づいて変更された前記システム情報構成を決定することと、
前記カウンタに基づいて更新されたシステム情報を識別することと、
を備える、Ｃ１に記載の方法。
［Ｃ５］
前記カウンタは、１６個の異なるシステム情報構成にマッピングする４ビットを備える、Ｃ１に記載の方法。
［Ｃ６］
前記カウンタは、ページングチャネルを介して受信される、Ｃ１に記載の方法。
［Ｃ７］
前記カウンタは、物理ブロードキャストチャネルを介して受信される、Ｃ１に記載の方法。
［Ｃ８］
前記カウンタは、ＭＴＣ物理ブロードキャストチャネルを介して受信される、Ｃ１に記載の方法。
［Ｃ９］
前記カウンタは、システム情報ブロック（ＳＩＢ）において受信される、Ｃ１に記載の方法。
［Ｃ１０］
前記ＳＩＢは、ＭＴＣ固有ＳＩＢを備える、Ｃ９に記載の方法。
［Ｃ１１］
ワイヤレス通信システムにおいてマシンタイプ通信（ＭＴＣ）を容易にするための装置であって、
システム情報構成または前記システム情報構成における変更を示すためのカウンタを受信するための手段と、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定するための手段と、
を備える装置。
［Ｃ１２］
前記システム情報構成または前記システム情報における前記変更を決定するための前記手段は、前記受信されたカウンタが前のウェイクアップとは異なると決定するように構成される、Ｃ１１に記載の装置。
［Ｃ１３］
前記システム情報構成または前記システム情報構成における前記変更を決定するための前記手段は、前記受信されたカウンタが増分されたカウンタであると決定するように構成される、Ｃ１２に記載の装置。
［Ｃ１４］
前記システム情報構成または前記システム情報構成における前記変更を決定するための前記手段は、
前記カウンタに基づいて変更された前記システム情報構成を決定することと、
前記カウンタに基づいて更新されたシステム情報を識別することと、
を行うように構成される、Ｃ１１に記載の装置。
［Ｃ１５］
前記カウンタは、１６個の異なるシステム情報構成にマッピングする４ビットを備える、Ｃ１１に記載の装置。
［Ｃ１６］
前記カウンタを受信するための前記手段は、ページングチャネルを介して前記カウンタを受信するように構成される、Ｃ１１に記載の装置。
［Ｃ１７］
前記カウンタを受信するための前記手段は、物理ブロードキャストチャネルを介して前記カウンタを受信するように構成される、Ｃ１１に記載の装置。
［Ｃ１８］
前記カウンタを受信するための前記手段は、ＭＴＣ物理ブロードキャストチャネルを介して前記カウンタを受信するように構成される、Ｃ１１に記載の装置。
［Ｃ１９］
前記カウンタを受信するための前記手段は、システム情報ブロック（ＳＩＢ）において前記カウンタを受信するように構成される、Ｃ１１に記載の装置。
［Ｃ２０］
前記カウンタを受信するための前記手段は、ＭＴＣ固有ＳＩＢにおいて前記カウンタを受信するように構成される、Ｃ１１に記載の装置。
［Ｃ２１］
ワイヤレス通信システムにおいてマシンタイプ通信（ＭＴＣ）を容易にするための装置であって、
プロセッサと、
前記プロセッサと電子通信するメモリと、
前記メモリに記憶された命令と、を備え、前記命令は、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を行うように前記プロセッサによって実行可能である、装置。
［Ｃ２２］
前記命令は、
前記受信されたカウンタが前のウェイクアップとは異なると決定することを行うように前記プロセッサによって実行可能である、Ｃ２１に記載の装置。
［Ｃ２３］
前記命令は、
前記受信されたカウンタが増分されたカウンタであると決定することを行うように前記プロセッサによって実行可能である、Ｃ２２に記載の装置。
［Ｃ２４］
前記命令は、
前記カウンタに基づいて変更された前記システム情報構成を決定することと、
前記カウンタに基づいて更新されたシステム情報を識別することと、
を行うように前記プロセッサによって実行可能である、Ｃ２１に記載の装置。
［Ｃ２５］
前記命令は、
ページングチャネルを介して前記カウンタを受信することを行うように前記プロセッサによって実行可能である、Ｃ２１に記載の装置。
［Ｃ２６］
前記命令は、
物理ブロードキャストチャネルを介して前記カウンタを受信することを行うように前記プロセッサによって実行可能である、Ｃ２１に記載の装置。
［Ｃ２７］
前記命令は、
ＭＴＣ物理ブロードキャストチャネルを介して前記カウンタを受信することを行うように前記プロセッサによって実行可能である、Ｃ２１に記載の装置。
［Ｃ２８］
ワイヤレス通信システムにおいてマシンタイプ通信（ＭＴＣ）を容易にするためのコンピュータプログラム製品であって、
システム情報構成または前記システム情報構成における変更を示すためのカウンタを受信することと、ここで、前記カウンタは、前記システム情報構成または前記システム情報構成における前記変更を反映するために、１つまたは複数のビットを備え、
前記受信されたカウンタを利用して、前記システム情報構成または前記システム情報構成における前記変更を決定することと、
を行うようにプロセッサによって実行可能な命令を記憶する非一時的コンピュータ可読媒体を備える、コンピュータプログラム製品。
［Ｃ２９］
前記命令は、
前記受信されたカウンタが前のウェイクアップとは異なると決定することを行うように前記プロセッサによって実行可能である、Ｃ２８に記載のコンピュータプログラム製品。
［Ｃ３０］
前記命令は、
前記受信されたカウンタが増分されたカウンタであると決定することを行うように前記プロセッサによって実行可能である、Ｃ２９に記載のコンピュータプログラム製品。